(57)【要約】【課題】補強枠の取り付け及び取り外しを容易に行うことができるとともに、商品陳列棚の使用状況時に補強枠が外れることを抑制することができる商品陳列棚を提供する。【解決手段】商品陳列棚は、棚受と、棚板と、棚受に対して棚板を前後方向へスライド可能とするレール部１４と、一対のレール部１４の間に架設される補強枠１５と、を有し、補強枠１５の左右両側端部には、挿通部２２が設けられており、挿通部２２は、前端縁部２２Ａと後端縁部２２Ｂとが中央部２２Ｃに対して上方向へ折り曲げられた形状に形成され、前端縁部２２Ａと後端縁部２２Ｂの上縁には、嵌合溝２３Ａ，２３Ｂが凹状に形成されており、レール部１４には、挿通孔２１が左右方向に開口するように形成されており、挿通部２２が挿通孔２１に挿通された状態で、嵌合溝２３Ａ，２３Ｂが挿通孔２１の上縁に嵌合されて、補強枠１５とレール部１４とが連結される。【選択図】図６
2020199095.tif 000002
【特許請求の範囲】
【請求項１】
左右一対の支柱に対して前後方向へ延びるように取り付けられる左右一対の棚受と、前記左右一対の棚受により左右両側部を支持される棚板と、前記左右一対の棚受それぞれに設けられて前記棚受に対して前記棚板を前後方向へスライド可能とする一対のレール部と、前記一対のレール部の間に左右方向へ延びるように架設される補強枠と、を有する商品陳列棚であって、
前記補強枠の左右両側端部には、挿通部が設けられており、
前記挿通部は、前端縁部と後端縁部とが、これら前端縁部及び後端縁部の間の中央部に対して、上方向へ折り曲げられた形状に形成され、
前記挿通部の前端縁部と後端縁部の上縁には、嵌合溝が凹状に形成されており、
前記レール部には、前記挿通部が挿通される挿通孔が左右方向に開口するように形成されており、
前記挿通部が前記挿通孔に挿通された状態で、前記嵌合溝が前記挿通孔の上縁に嵌合されて、前記補強枠と前記レール部とが連結されることを特徴とする商品陳列棚。
【請求項２】
前記レール部は、前後方向から見た断面形状がＬ字状をなすように形成されており、前記挿通孔は、前後方向における断面形状がＬ字状となるように前記レール部を切り欠いて形成されている請求項１に記載の商品陳列棚。
【請求項３】
前記嵌合溝が嵌合される前記挿通孔の上縁の２つの被嵌合部は、一方が鈍角状に、他方が直角状に切り欠き形成されている請求項１又は請求項２に記載の商品陳列棚。
【請求項４】
前記２つの被嵌合部の間には、凸部が前記挿通孔の上下方向の開孔幅を狭めるように形成されている請求項３に記載の商品陳列棚。
【請求項５】
前記レール部は、前記挿通孔に挿通された前記挿通部を載せて支持する支持座を有している請求項１から請求項４のうち何れか一項に記載の商品陳列棚。
【発明の詳細な説明】
【技術分野】
【０００１】
本発明は、スーパーマーケット等の小売店で使用される商品陳列棚に関する。
【背景技術】
【０００２】
一般に、商品陳列棚は、左右一対の支柱に取り付けられる左右一対の棚受と、これら左右一対の棚受によって左右両縁側を支持される棚板と、を有する構成とされている。
さらに、上述の構成に加え、棚板が棚受に対してスライド可能な構成を有することにより、陳列商品の補充作業性を良好とした商品陳列棚が提案されている（例えば、特許文献１参照）。
棚板が棚受に対してスライド可能な構成を有する商品陳列棚としては、左右の棚受同士の平行関係を保持する等の目的で、左右一対の棚受や、レール部が設けられた左右一対のフレームの間に、固定梁、連結板、横材等の補強枠を架設したもの提案されている（例えば、特許文献２〜４参照）。
【先行技術文献】
【特許文献】
【０００３】
【特許文献１】特開２００７−２４４５５２号公報
【特許文献２】特開２０００−１３９６３６号公報
【特許文献３】特開２００８−２０６７７０号公報
【特許文献４】特開２０１１−２４５２２２号公報
【発明の概要】
【発明が解決しようとする課題】
【０００４】
従来の商品陳列棚において、棚受やフレームと補強枠とは、リベット打ち、溶接、又はネジ止めによって連結されている。
しかしながら、リベット打ち又は溶接によって連結された補強枠は、商品陳列棚の移設時やメンテナンス時等に棚受やフレームから取り外すことが出来ず、移設やメンテナンスに難が生じるという問題があった。
また、ネジ止めによって連結された補強枠は、棚受やフレームから取り外したり、再度取り付けたりすることができるが、ネジを外したり、はめたりする作業が極めて煩雑であるとともに、商品陳列棚の使用状況時にネジが緩んで補強枠が外れる可能性があるという問題があった。
【０００５】
本発明は、上述の課題を解決するものであり、補強枠の取り付け及び取り外しを容易に行うことができるとともに、商品陳列棚の使用状況時に補強枠が外れることを抑制することができる商品陳列棚を提供することを目的とする。
【課題を解決するための手段】
【０００６】
上記従来の問題点を解決する手段として、請求項１に記載の商品陳列棚の発明は、左右一対の支柱に対して前後方向へ延びるように取り付けられる左右一対の棚受と、前記左右一対の棚受により左右両側部を支持される棚板と、前記左右一対の棚受それぞれに設けられて前記棚受に対して前記棚板を前後方向へスライド可能とする一対のレール部と、前記一対のレール部の間に左右方向へ延びるように架設される補強枠と、を有する商品陳列棚であって、
前記補強枠の左右両側端部には、挿通部が設けられており、
前記挿通部は、前端縁部と後端縁部とが、これら前端縁部及び後端縁部の間の中央部に対して、上方向へ折り曲げられた形状に形成され、
前記挿通部の前端縁部と後端縁部の上縁には、嵌合溝が凹状に形成されており、
前記レール部には、前記挿通部が挿通される挿通孔が左右方向に開口するように形成されており、
前記挿通部が前記挿通孔に挿通された状態で、前記嵌合溝が前記挿通孔の上縁に嵌合されて、前記補強枠と前記レール部とが連結されることを要旨とする。
請求項２に記載の発明は、請求項１に記載の発明において、前記レール部は、前後方向から見た断面形状がＬ字状をなすように形成されており、前記挿通孔は、前後方向における断面形状がＬ字状となるように前記レール部を切り欠いて形成されていることを要旨とする。
請求項３に記載の発明は、請求項１又は請求項２に記載の発明において、前記挿通孔の上縁で前記嵌合溝が嵌合される２つの被嵌合部は、一方が鈍角状に、他方が直角状に切り欠き形成されていることを要旨とする。
請求項４に記載の発明は、請求項３に記載の発明において、前記２つの被嵌合部の間には、凸部が前記挿通孔の上下方向の開孔幅を狭めるように形成されていることを要旨とする。
請求項５に記載の発明は、請求項１から請求項４のうち何れか一項に記載の発明において、前記レール部は、前記挿通孔に挿通された前記挿通部を載せて支持する支持座を有していることを要旨とする。
【発明の効果】
【０００７】
〔作用〕
本発明の商品陳列棚は、左右一対の棚受に支持された棚板を前後方向へスライド可能とするべく、一対のレール部が棚受に設けられており、一対のレール部の間に補強枠が架設される構成とされている。補強枠は、その左右両側端部に挿通部が設けられており、挿通部は、前端縁部と後端縁部とが、これら前端縁部及び後端縁部の間の中央部に対して、上方向へ折り曲げられた形状に形成されている。この挿通部の前端縁部と後端縁部の上縁には、それぞれ嵌合溝が、凹状をなすように、合計で２つ形成されている。さらに、レール部には、補強枠の挿通部が挿通される挿通孔が、左右方向に開口するように形成されている。
この商品陳列棚において、レール部への補強枠の取り付け時には、レール部の挿通孔に補強枠の挿通部を挿通して、この挿通部の嵌合溝を挿通孔の上縁に嵌合させるという容易な作業により、レール部と補強枠とを連結することができる。さらに、補強枠の挿通部は、レール部の挿通孔に挿通された状態で、嵌合溝が挿通孔の上縁に嵌合されているため、挿通孔からの抜け出しを規制されており、商品陳列棚の使用状況時に補強枠がレール部から外れることを抑制することができる。そして、レール部に対する補強枠の取り外し時には、挿通孔の上縁から嵌合溝を取り外し、補強枠の挿通部をレール部の挿通孔から抜き出すという容易な作業により、レール部と補強枠との連結を解除することができる。
また、レール部は、前後方向から見た断面形状がＬ字状をなすように形成されており、挿通孔は、前後方向における断面形状がＬ字状となるようにレール部を切り欠いて形成されている場合、挿通孔に挿通部を挿入しやすくすることができる。
また、２つの嵌合溝がそれぞれ嵌合される挿通孔の上縁の２つの被嵌合部は、一方が鈍角状に、他方が直角状に切り欠き形成されている場合、挿通孔の上縁に嵌合された嵌合溝が位置決めされて、挿通孔の内側における挿通部の移動が抑制されることにより、レール部に対する補強枠の振れやぐらつきを抑制することができる。
また、２つの被嵌合部の間には、凸部が挿通孔の上下方向の開孔幅を狭めるように形成されている場合、この凸部と挿通部とが接触して挿通孔の内側における挿通部の移動が抑制されることで、レール部に対する補強枠の振れやぐらつきを抑制することができる。
また、レール部は、挿通孔に挿通された挿通部を載せて支持する支持座を有している場合、挿通孔に挿通された状態の挿通部を支持座によって安定して支持することができる。
【０００８】
〔効果〕
本発明によれば、補強枠の取り付け及び取り外しを容易に行うことができるとともに、商品陳列棚の使用状況時に補強枠が外れることを抑制することができる商品陳列棚を提供することができる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】本発明の一実施形態である商品陳列棚の概略を示す分解斜視図。
【図２】実施形態の商品陳列棚を示す（ａ）は棚板をスライドさせていない状態、（ｂ）は棚板をスライドさせた状態、を示す斜視図。
【図３】実施形態の棚受及びレール部を示す（ａ）は側面図、（ｂ）は平面図、（ｃ）は正面図。
【図４】実施形態の棚板を示す（ａ）は側面図、（ｂ）は平面図、（ｃ）は正面図。
【図５】実施形態の補強枠を示す（ａ）は斜視図、（ｂ）は部分拡大平面図、（ｃ）は部分拡大正面図。
【図６】実施形態のレール部に補強枠を連結する状態を示す部分拡大斜視図。
【図７】図１の７Ａ部位の拡大図。
【図８】図７の８−８指示線における断面図。
【発明を実施するための形態】
【００１０】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
図１及び図２（ａ），（ｂ）に示すように、商品陳列棚１０は、左右一対の支柱１１に対して前後方向へ延びるように取り付けられる左右一対の棚受１２と、これら棚受１２により左右両側部を支持される棚板１３と、を有している。
左右一対の棚受１２には、それぞれレール部１４が設けられている。棚板１３は、一対のレール部１４を介して左右一対の棚受１２に支持されており、棚受１２に対して前後方向へスライド可能とされている（図２（ａ），（ｂ）参照）。
一対のレール部１４の間には、補強枠１５が左右方向へ延びるように架設されている。そして、レール部１４及び補強枠１５には、レール部１４と補強枠１５とを連結するための連結構造２０が設けられている。
【００１２】
なお、図１中では、商品陳列棚１０において棚受１２及び棚板１３を１段のみ設けた構成としたが、棚受１２及び棚板１３を設ける段数は特に限定されない。通常の商品陳列棚１０は、棚受１２及び棚板１３を上下で複数段設けた状態で使用されている。
また、以下の説明では、特に断らない限り、上下、前後、左右の方向について、使用状況下の商品陳列棚１０を基準とし、支柱１１の伸びる方向を上下方向、支柱１１側を後側として棚受１２の伸びる方向を前後方向、これら上下方向及び前後方向と直交する方向を左右方向とする。
【００１３】
図３（ａ）〜（ｃ）に示すように、棚受１２は、前後方向に伸びる長尺板状に形成されている。
棚受１２の後端縁には、複数の係止爪１２Ａが形成されている。棚受１２は、支柱１１に設けられた複数の取付孔１１Ａのうち所望の何れかに対し、係止爪１２Ａを係止させることにより、支柱１１に取り付けられている（図１及び図２（ａ），（ｂ）参照）。
【００１４】
レール部１４は、正面視で棚受１２の上縁から内側方向（左右方向であり、図３（ｃ）中で左方向）へ延設されたガイド壁１４Ａと、このガイド壁１４Ａの内側縁から上方へ延設された内側壁１４Ｂと、を有しており、前後方向から見た断面形状がＬ字状をなすように、棚受１２と一体的に形成されている。
レール部１４において、内側壁１４Ｂの前端部外面には、下側ガイドローラ１４Ｃが回転自在に軸支されている。下側ガイドローラ１４Ｃは、レール部１４の上縁よりも上方に突出して配置されており、棚板１３の下面に接触するように構成されている。この下側ガイドローラ１４Ｃは、棚板１３のスライド時において、棚板１３の下面が摺動されることにより、該棚板１３を滑動させるように機能する。
そして、レール部１４において、内側壁１４Ｂの前端部には、上記連結構造２０を構成する挿通孔２１が、左右方向に開口するように形成されている。
【００１５】
図４（ａ）〜（ｃ）に示すように、棚板１３は、左右方向に伸びる長方形板状に形成されている。
棚板１３の下面で後端部には、上側ガイドローラ１３Ａが回転自在に軸支されている。
上側ガイドローラ１３Ａは、棚板１３の下縁よりも下方に突出して配置されており、レール部１４においてガイド壁１４Ａの上面に接触するように構成されている。この上側ガイドローラ１３Ａは、棚板１３のスライド時において、ガイド壁１４Ａの上面を転動することにより、該棚板１３を滑動させるように機能する。
棚板１３の下面で前縁部において、左右方向の中央には、係止レバー１３Ｂが取り付けられている。この係止レバー１３Ｂは、前後方向の中間部で棚板１３に軸支されており、前端部及び後端部を上下方向に揺動させることができる。また、係止レバー１３Ｂは、図示しない付勢手段によって、前端部を上方に回動させる方向へ付勢されている。
【００１６】
図５（ａ）に示すように、補強枠１５は、左右方向に伸びる略長板状をなしている。
補強枠１５は、枠前端縁部１５Ａと枠後端縁部１５Ｂとが、これら枠前端縁部１５Ａ及び枠後端縁部１５Ｂの間の枠中央部１５Ｃに対し、枠前端縁部１５Ａが上方向へ斜めに折り曲げられ、枠後端縁部１５Ｂが上方向へ直角に折り曲げられた形状とすることにより、強度が高められている。
また、補強枠１５は、枠後端縁部１５Ｂの上端から後方へ断面横コ字状の凸条部１５Ｄが延設されることにより、更なる強度の向上が図られている。
【００１７】
補強枠１５の前部において、左右方向の中央には、係止孔１５Ｅが透設されている。補強枠１５は、一対のレール部１４の間に架設された状態で、棚板１３の下面に取り付けられた係止レバー１３Ｂの前端部が係止孔１５Ｅに係止されるように構成されている。
すなわち、商品陳列棚１０において、棚板１３は、棚受１２に対して後方へスライドされた際、係止レバー１３Ｂの前端部が補強枠１５の係止孔１５Ｅに係止された位置で、前方へのスライドを規制され、その位置に保持された状態となる（図２（ａ）参照）。
また、上記の状態から、付勢手段による付勢力に抗して係止レバー１３Ｂの後端部を上方へ回動させると、補強枠１５の係止孔１５Ｅに対する係止レバー１３Ｂの前端部の係止が解除されることにより、棚板１３は、棚受１２に対する前方へのスライドを許容され、スライド可能状態となる（図２（ｂ）参照）。
そして、補強枠１５の左右両側端部には、上記連結構造２０を構成する挿通部２２が設けられている。
【００１８】
上記連結構造２０について、挿通孔２１は、図６に示すように、レール部１４の前端部で内側壁１４Ｂとガイド壁１４Ａとを切り欠くことにより、前後方向における断面形状がＬ字状となるように形成されている。
すなわち、挿通孔２１は、内側壁１４Ｂを切り欠いて形成された部位による上孔２１Ａと、ガイド壁１４Ａを切り欠いて形成された部位による下孔２１Ｂと、を有している。
【００１９】
挿通孔２１の上孔２１Ａは、左右方向から見た状態における該部位の周縁が、略台形状を描く形状とされている（図８参照）。この上孔２１Ａにおいては、前辺２１１が後傾方向に伸び、後辺２１２が鉛直方向に伸び、上辺２１３が略水平方向に伸びている（図６参照）。
挿通孔２１の上縁となる上孔２１Ａの上辺２１３には、前辺２１１との間に鈍角状の第１被嵌合部２１４が切り欠き形成され、後辺２１２との間に直角状の第２被嵌合部２１５が切り欠き形成されている。
また、第１被嵌合部２１４と第２被嵌合部２１５との間には、凸部２１Ｃが、上辺２１３の中央部から下方へ伸びることで、挿通孔２１の上孔２１Ａの上下方向の開孔幅を狭めるように形成されている。
【００２０】
挿通孔２１の下孔２１Ｂは、上下方向から見た状態における該部位の周縁が、前後方向に伸びる長方形状を描く形状とされている。
また、ガイド壁１４Ａの上面で下孔２１Ｂの周囲は、挿通部２２を載せて支持するための支持座２１Ｄとされている。
【００２１】
上記連結構造２０について、挿通部２２は、図６に示すように、補強枠１５の左右両側端部を、左右方向の外側に延長して形成されている。
すなわち、挿通部２２は、補強枠１５の枠前端縁部１５Ａ、枠後端縁部１５Ｂ及び枠中央部１５Ｃを左右方向の外側に延長して形成されており、補強枠１５の枠中央部１５Ｃが延長された中央部２２Ｃに対して、上方向へ斜めに折り曲げられた前端縁部２２Ａと、上方向へ直角に折り曲げられた後端縁部２２Ｂと、を有している。挿通部２２は、これら前端縁部２２Ａ及び枠後端縁部１５Ｂが形成されていることにより、強度の向上が図られている。
【００２２】
挿通部２２の前端縁部２２Ａ及び後端縁部２２Ｂには、それぞれの上縁を凹状に切り欠くことにより、嵌合溝として、前端縁部２２Ａに第１嵌合溝２３Ａが、後端縁部２２Ｂに第２嵌合溝２３Ｂが形成されている。
第１嵌合溝２３Ａ及び第２嵌合溝２３Ｂは、前後方向、つまりレール部１４（棚受１２）の長手方向に沿って並ぶように配置されている。
また、第１嵌合溝２３Ａ及び第２嵌合溝２３Ｂは、左右の内側面のうち、左右方向の外側となる内側面２３１が、外側へ向かって傾斜する斜面状に形成されている（図５（ｂ），（ｃ）参照）。
【００２３】
連結構造２０は、上記の挿通孔２１、挿通部２２、第１嵌合溝２３Ａ及び第２嵌合溝２３Ｂ等によって構成されている。
補強枠１５の取り付け時において、連結構造２０を使用してレール部１４と補強枠１５とを連結する場合には、まずレール部１４又は補強枠１５の何れか一方が他方に対して斜めに傾けられ、レール部１４に設けられた挿通孔２１の下孔２１Ｂに、補強枠１５の挿通部２２が挿通される（図６中の２点鎖線による矢印を参照）。
次いで、レール部１４又は補強枠１５の他方に対して斜めに傾けられた一方が、元の略水平な向きに戻されることで、図７、図８に示すように、挿通部２２は挿通孔２１の上孔２１Ａに配され、第１嵌合溝２３Ａが挿通孔２１の周縁の第１被嵌合部２１４に嵌合されるとともに、第２嵌合溝２３Ｂが第２被嵌合部２１５に嵌合されて、レール部１４と補強枠１５とが連結される。
上述したように、レール部１４と補強枠１５との連結に係る作業は、補強枠１５の挿通部２２をレール部１４の挿通孔２１に挿通して、挿通部２２の第１嵌合溝２３Ａ及び第２嵌合溝２３Ｂを挿通孔２１の上縁の第１被嵌合部２１４及び第２被嵌合部２１５にそれぞれ嵌合するという、極めて容易なものである。
【００２４】
補強枠１５の取り外し時において、連結構造２０によるレール部１４と補強枠１５との連結を解除する場合には、まずレール部１４又は補強枠１５の何れか一方を他方に対して斜めに傾け、挿通孔２１の内部で挿通部２２を上孔２１Ａから下孔２１Ｂに移動させて、挿通孔２１の上縁に対する第１嵌合溝２３Ａ及び第２嵌合溝２３Ｂの嵌合を解除する。
次いで、レール部１４又は補強枠１５の何れか一方を他方に対して斜めに傾けて挿通部２２が挿通孔２１の下孔２１Ｂに配されたまま、挿通孔２１から挿通部２２を抜き出すことにより、レール部１４と補強枠１５との連結が解除される。
上述したように、レール部１４と補強枠１５との連結の解除に係る作業は、挿通孔２１の上縁に対する第１嵌合溝２３Ａ及び第２嵌合溝２３Ｂの嵌合を解除し、挿通孔２１から挿通部２２を抜き出すという、極めて容易なものである。
【００２５】
挿通孔２１は、レール部１４の内側壁１４Ｂに形成された上孔２１Ａと、ガイド壁１４Ａに拡張して形成された下孔２１Ｂとを有しており、前後方向における断面形状がＬ字状をなすように形成されている。挿通孔２１の上孔２１Ａは、その内側に挿通部２２が配されることで、上縁（上辺２１３）に第１嵌合溝２３Ａ及び第２嵌合溝２３Ｂが嵌合される構成とされ、下孔２１Ｂは、第１嵌合溝２３Ａ及び第２嵌合溝２３Ｂの嵌合を解除する、及び挿通部２２を挿通又は抜き出ししやすくする構成とされたことにより、挿通孔２１に挿通部２２を好適に嵌合し、その嵌合を容易に解除することができるとともに、挿通孔２１に挿通部２２を挿通又は抜き出ししやすくすることができる。
【００２６】
第１嵌合溝２３Ａ及び第２嵌合溝２３Ｂは、内側面２３１が斜面状に形成されることで開口幅を広げられている。このため、第１嵌合溝２３Ａ及び第２嵌合溝２３Ｂは、その内側へ挿通孔２１の上縁が入り込みやすく、挿通孔２１の周上縁へ確実に嵌合させることができる。
また、第１嵌合溝２３Ａ及び第２嵌合溝２３Ｂは、レール部１４（棚受１２）の長手方向に沿って並ぶように配置されている。このため、第１嵌合溝２３Ａ又は第２嵌合溝２３Ｂの何れか一方を挿通孔２１の周縁に嵌合させることで、他方もまた挿通孔２１の周縁に嵌合させることができる。
【００２７】
レール部１４と補強枠１５とは、図７及び図８に示すように、挿通部２２に設けられた第１嵌合溝２３Ａ及び第２嵌合溝２３Ｂが、挿通孔２１の上縁の第１被嵌合部２１４及び第２被嵌合部２１５にそれぞれ嵌合されている。
この第１嵌合溝２３Ａ及び第２嵌合溝２３Ｂと、挿通孔２１の周縁との嵌合により、挿通部２２は、挿通孔２１からの抜け出しを規制されており、商品陳列棚１０の使用状況時に、レール部１４と補強枠１５との連結が解除されて、補強枠１５が外れることを防止することができる。
【００２８】
挿通部２２において、第１嵌合溝２３Ａ及び第２嵌合溝２３Ｂが形成された前端縁部２２Ａ及び後端縁部２２Ｂは、中央部２２Ｃに対して、上方向へ折り曲げられて形成されている。
このため、挿通部２２の前端縁部２２Ａ及び後端縁部２２Ｂは、第１嵌合溝２３Ａ及び第２嵌合溝２３Ｂを介して、挿通孔２１の周縁、つまりはレール部１４からの荷重を受け止めるように機能しており、第１嵌合溝２３Ａ及び第２嵌合溝２３Ｂが挿通孔２１の周縁に嵌合された状態を好適に保持することができる。
【００２９】
また、棚板１３等からレール部１４へ予想外の荷重が加わる等した際、第１嵌合溝２３Ａ及び第２嵌合溝２３Ｂを介して前端縁部２２Ａ及び後端縁部２２Ｂが、該荷重を受け止めることにより、こうした荷重に好適に耐え、破損を防止することができる。
加えて、棚板１３等からレール部１４へ荷重が加わる場合、その荷重が加わる方向は下方向であり、これは、第１嵌合溝２３Ａ及び第２嵌合溝２３Ｂが挿通孔２１の上縁に嵌合される方向であるため、補強枠１５が外れることを確実に防止することができる。
【００３０】
挿通孔２１の上縁には、鈍角状の第１被嵌合部２１４と、直角状の第２被嵌合部２１５とが切り欠き形成されており、第１被嵌合部２１Ａに第１嵌合溝２３Ａが嵌合され、第２被嵌合部２１Ｂに第２嵌合溝２３Ｂが嵌合されている。このように鈍角状又は直角状の被嵌合部２１Ａ，２１Ｂに嵌合溝２３Ａ，２３Ｂが嵌合される構成としたことにより、挿通孔２１の周縁に対する嵌合溝２３Ａ，２３Ｂの嵌合位置が位置決めされるので、挿通孔２１の内側における挿通部２２の前後方向の移動を抑制することができる。
また、挿通部２２において、第１嵌合溝２３Ａが形成された前端縁部２２Ａは、中央部２２Ｃに対して、上方向へ斜めに折り曲げられているため、挿通孔２１の上孔２１Ａの内側で挿通部２２が移動しようとする場合、その移動方向は前端縁部２２Ａによって後方へ遷移される。一方、第２嵌合溝２３Ｂが形成された後端縁部２２Ｂは、上方向へ直角に折り曲げられており、挿通孔２１の上孔２１Ａの周縁で後辺２１２は鉛直方向に伸びている。このため、挿通孔２１の内側で後方に移動する挿通部２２は、後端縁部２２Ｂが挿通孔２１の周縁で後辺２１２に当接することで、後方への移動を規制される。
【００３１】
挿通孔２１の上孔２１Ａは、凸部２１Ｃによって開孔幅を狭められている。このため、挿通孔２１の内側で挿通部２２が上下方向へ移動しようとする場合、その移動は凸部２１Ｃに当たることで抑制されることから、レール部１４に対する補強枠１５の上下方向への移動、つまり補強枠１５の振れやぐらつきを抑制することができる。
挿通孔２１に挿通された挿通部２２は、支持座２１Ｄに載せられて支持されている。このため、挿通孔２１に挿通された状態の挿通部２２を支持座２１Ｄによって安定して支持することができる。
【００３２】
支持座２１Ｄには、支持座２１Ｄに挿通部２２を固定することにより、連結構造２０によるレール部１４と補強枠１５との連結を補助するための補助連結構造３０が設けられている。
補助連結構造３０は、支持座２１Ｄに形成された固定孔３１と、挿通部２２の中央部２２Ｃにおいて固定孔３１と対応する位置に設けられた貫通孔３２と、固定孔３１と貫通孔３２とが位置合わせされた状態で固定孔３１及び貫通孔３２に嵌入されるキャップ３３と、によって構成されている（図６及び図７参照）。
補助連結構造３０は、支持座２１Ｄに挿通部２２が支持された状態で、該挿通部２２を該支持座２１Ｄに固定することにより、挿通孔２１からの挿通部２２の抜け出しを規制し、レール部１４と補強枠１５との連結を好適に保持する機能を有している。さらに、補助連結構造３０は、支持座２１Ｄに挿通部２２を固定することで、挿通孔２１の内部で挿通部２２が移動することを規制し、補助枠１５の振れやがたつきを防止している。
なお、補助連結構造３０は、キャップ３３を固定孔３１及び貫通孔３２から取り外すことにより、支持座２１Ｄへの挿通部２２の固定を容易に解除することができる。
【００３３】
尚、本発明は上記で詳述した実施形態に限定されず、本発明の請求項に示した範囲で様々な変形又は変更が可能である。
【符号の説明】
【００３４】
１０    商品陳列棚
１１    支柱
１２    棚受
１３    棚板
１４    レール部
１５    補強枠
２１    挿通孔
２１Ａ  上孔
２１Ｂ  上孔
２１４  第１被嵌合部
２１５  第２被嵌合部
２２    挿通部
２２Ａ  前端縁部
２２Ｂ  後端縁部
２２Ｃ  中央部
２３Ａ  第１嵌合溝
２３Ｂ  第２嵌合溝
【図１】
2020199095.tif 000003
【図２】
2020199095.tif 000004
【図３】
2020199095.tif 000005
【図４】
2020199095.tif 000006
【図５】
2020199095.tif 000007
【図６】
2020199095.tif 000008
【図７】
2020199095.tif 000009
【図８】
2020199095.tif 000010